(57)【要約】【課題】  本発明は地震等で異なる前後方向に左右の躯体が揺れ動いても、スムーズにスライド移動して、損傷するのを効率よく阻止することができるとともに、目地部が狭くなっても目地プレートを安全にスライド移動させることができる床用目地装置を得るにある。【解決手段】一方の躯体の目地部側の床面に反目地部側が傾斜面に形成された凹部を先端部が覆うように支持され、他方の躯体の目地部側に取付けられた支持具を介して後端部が支持される目地プレートを備える床用目地装置において、支持具を他方の目地部側躯体に水平方向に所定間隔で回転可能に取付けられた中央部の直径よりも両端部側の直径が順次拡径する外周部が円弧状の複数個のローラーと、この複数個のローラーに支持される底面が複数個のローラーの円弧と同一あるいは小径の円弧に形成された目地プレートの後端部の底面に固定あるいは上下移動可能に取付けられた支持バーとで床用目地装置を構成している。【選択図】  図２
2006037340.tif 000002
【特許請求の範囲】
【請求項１】
一方の躯体の目地部側の床面に反目地部側が傾斜面に形成された凹部を先端部が覆うように支持され、他方の躯体の目地部側に取付けられた支持具を介して後端部が支持される目地プレートを備える床用目地装置において、前記支持具を前記他方の目地部側躯体に水平方向に所定間隔で回転可能に取付けられた中央部の直径よりも両端部側の直径が順次拡径する外周部が円弧状の複数個のローラーと、この複数個のローラーに支持される底面が、該複数個のローラーの円弧と同一あるいは小径の円弧に形成された、前記目地プレートの後端部の底面に固定あるいは上下移動可能に取付けられた支持バーとで構成したことを特徴とする床用目地装置。
【請求項２】
一方の躯体の目地部側の床面に反目地部側が傾斜面に形成された凹部を先端部が覆うように支持され、他方の躯体の目地部側に取付けられた支持具を介して後端部が支持される目地プレートを備える床用目地装置において、前記支持具を前記他方の目地部側躯体にローラー収納部を形成するほぼ水平方向に固定された支持体と、この支持体内に所定間隔で回転可能に取付けあるいは収納された中央部の直径よりも両端部側の直径が順次拡径する外周部が円弧状の複数個のローラーと、この複数個のローラーに支持される底面が、該複数個のローラーの円弧と同一あるいは小径の円弧に形成された、前記目地プレートの後端部の底面に固定あるいは所定量の上下移動が可能に取付けられた支持バーとで構成したことを特徴とする床用目地装置。
【請求項３】
一方の躯体の目地部側の床面に反目地部側が傾斜面に形成された凹部を先端部が覆うように支持され、他方の躯体の目地部側に取付けられた支持具を介して後端部が支持される目地プレートを備える床用目地装置において、前記支持具を前記他方の目地部側躯体にローラー収納部を形成するほぼ水平方向に固定された支持体と、この支持体内に所定間隔で回転可能に取付けあるいは収納された中央部の直径よりも両端部側の直径が順次拡径する外周部が円弧状の複数個のローラーと、この複数個のローラーに支持される底面が、該複数個のローラーの円弧と同一あるいは小径の円弧に形成された、前記目地プレートの後端部の底面に固定あるいは所定量の上下移動が可能に取付けられた支持バーと、前記支持体の上部に他方の躯体方向に突出するように形成されたストッパー部と、このストッパー部に前記支持バーが上方へ移動した場合に係止される、該支持バーに固定されたストッパー片とを備えることを特徴とする床用目地装置。
【請求項４】
一方の躯体の目地部側の床面に先端部がスライド移動可能に支持され、他方の躯体の目地部側に取付けられた支持具を介して後端部が支持される目地プレートを備える床用目地装置において、前記支持具を前記他方の目地部側躯体に水平方向に所定間隔で回転可能に取付けられた中央部の直径よりも両端部側の直径が順次拡径する外周部が円弧状の複数個のローラーと、この複数個のローラーに支持される底面が、該複数個のローラーの円弧と同一あるいは小径の円弧に形成された、前記目地プレートの後端部の底面に固定あるいは上下移動可能に取付けられた支持バーとで構成したことを特徴とする床用目地装置。
【発明の詳細な説明】
【技術分野】
【０００１】
本発明は左右の建物の床部分の目地部を覆う床用目地装置に関する。
【背景技術】
【０００２】
従来の床用目地装置は目地プレートの後端部の底面に丸パイプ材製の回動部材を固定し、この回動部材をクランク状の支持金具で支持するとともに、目地プレートの後端部と躯体の底面との間の隙間を覆うように押さえプレートを設置している。
【０００３】
このように構成された床用目地装置は、目地部が狭くなったり、広くなるような揺れ動きには目地プレートの先端部のスライド移動で、その揺れ動きを吸収することができるが、異なる前後方向に揺れ動いた場合には、目地プレートの先端部と一方の躯体の床面あるいは目地プレートの後端部の回動部材と支持金具との接触抵抗が大きく、スムーズに移動ができず、目地プレートを損傷させるという欠点があった。
【特許文献１】特許第３１８９２２８
【発明の開示】
【発明が解決しようとする課題】
【０００４】
本発明は以上のような従来の欠点に鑑み、地震等で異なる前後方向に左右の躯体が揺れ動いても、スムーズにスライド移動して、損傷するのを効率よく阻止することができるとともに、目地部が狭くなっても目地プレートを安全にスライド移動させることができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の躯体の目地部側の床面に反目地部側が傾斜面に形成された凹部を先端部が覆うように支持され、他方の躯体の目地部側に取付けられた支持具を介して後端部が支持される目地プレートを備える床用目地装置において、前記支持具を前記他方の目地部側躯体に水平方向に所定間隔で回転可能に取付けられた中央部の直径よりも両端部側の直径が順次拡径する外周部が円弧状の複数個のローラーと、この複数個のローラーに支持される底面が、該複数個のローラーの円弧と同一あるいは小径の円弧に形成された、前記目地プレートの後端部の底面に固定あるいは上下移動可能に取付けられた支持バーとで床用目地装置を構成している。
【発明の効果】
【０００７】
以下の説明から明らかなように、本発明にあっては次に列挙する効果が得られる。
【０００８】
（１）支持具を他方の目地部側躯体に水平方向に所定間隔で回転可能に取付けられた中央部の直径よりも両端部側の直径が順次拡径する外周部が円弧状の複数個のローラーと、この複数個のローラーに支持される底面が、該複数個のローラーの円弧と同一あるいは小径の円弧に形成された、目地プレートの後端部の底面に固定あるいは上下移動可能に取付けられた支持バーとで構成されているので、地震等で異なる前後方向に左右の躯体が揺れ動いた場合、目地プレートの後端部の底面に取付けられた支持バーが複数個のローラーによって、スムーズに前後方向にスライド移動させて、その揺れ動きを吸収することができる。
したがって、異なる前後方向の揺れ動きを吸収することができる。
【０００９】
（２）前記（１）によって、目地部が狭くなるように揺れ動いた場合は、目地プレートの後端部の下端部が、円弧形状の支持バーが複数個のローラーの円弧状部を回動して、スムーズに目地プレートの先端部を回動させることができる。
したがって、目地部が狭くなる場合に、目地プレートをスムーズに回動させてその揺れ動きを吸収することができる。
【００１０】
（３）前記（１）によって、構造が簡単であるので、容易に設置することができる。
【００１１】
（４）前記（１）によって、複数個のローラーの外周部の円弧を他方の躯体の目地部側の角部を支点とした円弧に形成したものを用いれば、他方の躯体の目地部側の角部の上面と目地プレートの上面とを通常時はもちろん、目地プレートの回動時にもほぼ同一面にでき、安全に使用することができる。
【００１２】
（５）請求項２、３も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図９に示す本発明を実施するための最良の第１の形態において、１は一方の躯体２の目地部３側の床面に反目地部側が傾斜面４に形成された凹部５と、他方の目地部側躯体２に取付けられた支持具６に支持される目地プレート７を用いた本発明の床用目地装置で、この床用目地装置１の前記支持具６はローラー収納部８が形成されたほぼ水平方向に他方の躯体２に固定されるほぼユ字状の支持体９と、この支持体９のローラー収納部８に所定間隔でほぼ水平状態に取付けられた複数個の軸１０に回転可能に取付けられた中央部の直径よりも両端部側の直径が順次拡径する外周部が円弧状のローラー１１と、この複数個のローラー１１に支持される下端部が、該複数個のローラー１１の円弧と同一あるいは小径の円弧１２に形成された、前記目地プレート７の後端部の底面に、該目地プレート７の後端部と他方の躯体２との間にわずかな隙間を介してあるいは隙間なくおよび上面が同一面となるように固定された支持バー１３とで構成されている。
【００１５】
前記目地プレート７は先端部が前記凹部５の傾斜面4に面接触するような傾斜面１４が形成された浅皿状の金属材製の目地プレート本体１５と、この目地プレート本体15内に充填されたモルタルあるいはコンクリート１６と、このモルタルあるいはコンクリート１６の上面を覆うタイルやブロック１７とで構成されている。
【００１６】
なお、前記複数個のローラー１１の外周部の円弧を、前記他方の躯体２の目地部３側の角部０を支点とした円弧形状に形成することにより、該角部０および目地プレート７の上部後端部を支点として、該目地プレート７の先端部を上方へ回動させることができる。
【００１７】
上記構成の床用目地装置１は地震等によって、左右の躯体２、２が異なる前後方向に揺れ動いた場合、複数個のローラー１１、支持バー１３を介して支持された目地プレート７の後端部の方が先端部より抵抗が小さいので、図８に示すように、該目地プレート７の後端部が前後方向にスライド移動して、その揺れ動きを吸収する。
【００１８】
目地部３が狭くなるように左右の躯体２、２が揺れ動くと、図９に示すように一方の躯体２の凹部５の傾斜面４に沿って、目地プレート７の先端部が上方へ回動しながら一方の躯体２方向へ突出してその揺れ動きを吸収するが、この時、目地プレート７の後端部の下端部が、円弧１２の支持バー１３が複数個のローラー１１の外周部の円弧状部をスムーズにスライド移動して、該目地プレート７の回動をスムーズに行なわせることができる。
［発明を実施するための異なる形態］
【００１９】
次に、図１０ないし図２９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図１０ないし図１２に示す本発明を実施するための第２の形態において、前記本発明を実施するための最良の第１の形態と主に異なる点は、一方の躯体２に形成した凹部５の底面を金属材製の支持プレート１８で覆い、目地プレート７Ａの先端部のスライド移動をよりスムーズにできるようにするとともに、目地プレート本体１５の先端部の上部にヒンジ部材１９を介してカバープレート２０を回動可能に取付けた目地プレート７Ａを用いた点で、このように構成した床用目地装置１Ａにしても、前記本発明を実施するための最良の第１の形態と同様な作用効果が得られる。
【００２１】
図１３ないし図１５に示す本発明を実施するための第３の形態において、前記本発明を実施するための第２の形態と主に異なる点は、一方の躯体２に傾斜面のない凹部５Ａを係止し、該凹部５Ａの底面に金属材製の傾斜面形成プレート２１と、スノコ２２を設けた点で、このように構成した床用目地装置１Ｂにしても、
前記本発明を実施するための最良の第１の形態と同様な作用効果が得られるとともに、目地プレート７の先端部の底面へ侵入するゴミをスノコ２２より底面へ落下でき、目地プレートをスムーズにスライド移動させることができるとともに、水の排水も効率よくできる。
【００２２】
図１６ないし図１８に示す本発明を実施するための第４の形態において、前記本発明を実施するための第２の形態と主に異なる点は、支持バー１３を目地プレート７の後端部の底面に、該目地プレート７の後端部が上方へ回動した場合に、支持体９より飛び出さないように上下方向に所定量スライド移動する複数本の支持軸２３、２３を介して取付けるとともに、支持体９の上部に他方の躯体２方向に突出するストッパー部２４および支持バー１３に、該ストッパー部２４と当接するストッパー片２５を設けた点で、このように構成した床用目地装置１Ｃにしても、前記本発明を実施するための第２の形態と同様な作用効果が得られる。
【００２３】
図１９ないし図２１に示す本発明を実施するための第５の形態において、前記本発明を実施するための第２の形態と主に異なる点は、複数個のローラー１１を軸１０を介して支持板２６、２６に所定間隔で取付けたローラー支持体２７をローラー収納部８に収納した点で、このように構成した床用目地装置１Ｄにしても前記本発明を実施するための最良の第１の形態と同様な作用効果が得られる。
【００２４】
図２２ないし図２４に示す本発明を実施するための第６の形態において、前記本発明を実施するための第２の形態と主に異なる点は、他方の目地部側の躯体２に固定されるローラー支持板２８と、このローラー支持板２８に所定間隔で固定された軸１０Ａにローラー１１が抜け脱しないように取付けた点で、このように構成した床用目地装置１Ｅにしても、前記本発明を実施するための最良の第１の形態と同様な作用効果が得られる。
なお、他方の目地部側の躯体２に直接軸１０Ａを固定して、複数個のローラー１１を取付けてもよい。
【００２５】
図２５および図２６に示す本発明を実施するための第７の形態において、前記本発明を実施するための第２の形態と主に異なる点は、一方の躯体２の目地部側の床面に目地プレート７の先端部を支持させた点で、このように構成した床用目地装置１Ｆにしても、前記本発明を実施するための最良の第１の形態と同様な作用効果が得られる。
なお、本発明を実施するための形態では、目地プレートを金属の一枚板あるいは枠部材を用いて形成したものであってもよい。
【００２６】
図２７ないし図２９に示す本発明を実施するための第８の形態において、前記本発明を実施するための第５の形態と主に異なる点は、複数個のローラー１１が支持体６のローラー収納部８にスライド移動できるように該複数個のローラー１１の下端部が下方にと突出する支持板２６、２６を用いたローラー支持体２７Ａを用いた点で、このように構成した床用目地装置１Ｇにしても、前記本発明を実施するための最良の第５の形態と同様な作用効果が得られるとともに、目地プレート７の後端部にトラックや消防車等が位置して大きな加重が加わつても、ローラー支持体２７Ａに取付けられた複数個のローラー１１を介して支持具６で支持されるため、複数個のローラー１１を支持する軸１０には大きな加重が加わることなくスムーズに複数個のローラー１１を回転させることができる。
なお、支持バー１３の目地プレート７の後端部と上下移動可能に支持される支持軸２３は目地プレート７の回動時にも十分な強度が得られる逆Ｌ字状やＴ字状形状や太さに設定されている。
【産業上の利用可能性】
【００２７】
本発明は床用目地装置を製造する産業で利用される。
【図面の簡単な説明】
【００２８】
【図１】本発明を実施するための最良の第１の形態の平面図。
【図２】図１の２−２線に沿う拡大断面図。
【図３】図２の３−３線に沿う断面図。
【図４】本発明を実施するための最良の第１の形態の支持具の平面図。
【図５】本発明を実施するための最良の第１の形態の支持具の正面図。
【図６】本発明を実施するための最良の第１の形態の支持具の側面図。
【図７】本発明を実施するための最良の第１の形態のローラーの説明図。
【図８】本発明を実施するための最良の第１の形態の異なる前後方向の動作説明図。
【図９】本発明を実施するための最良の第１の形態の目地部が狭くなる動作説明図。
【図１０】本発明を実施するための第２の形態の平面図。
【図１１】図１０の１１−１１線に沿う拡大断面図。
【図１２】目地プレートを外した平面図。
【図１３】本発明を実施するための第３の形態の平面図。
【図１４】図１３の１４−１４線に沿う拡大断面図。
【図１５】目地プレートを外した平面図。
【図１６】本発明を実施するための第４の形態の平面図。
【図１７】図１６の１７−１７線に沿う拡大断面図。
【図１８】本発明を実施するための第４の形態の要部拡大説明図。
【図１９】本発明を実施するための第５の形態の平面図。
【図２０】図１９の２０−２０線に沿う拡大断面図。
【図２１】本発明を実施するための第５の形態のローラー支持体の説明図。
【図２２】本発明を実施するための第６の形態の平面図。
【図２３】図２２の２３−２３線に沿う拡大断面図。
【図２４】本発明を実施するための第６の形態のローラーの取付け状態の説明図。
【図２５】本発明を実施するための第７の形態の平面図。
【図２６】図２５の２６−２６線に沿う拡大断面図。
【図２７】本発明を実施するための第８の形態の平面図。
【図２８】図２７の２８−２８線に沿う拡大断面図。
【図２９】本発明を実施するための第８の形態のローラー支持体の説明図。
【符号の説明】
【００２９】
１、１Ａ、１Ｂ、１Ｃ、１Ｄ、１Ｅ、１Ｆ、１Ｇ：床用目地装置、
２：躯体、                    ３：目地部、
４：傾斜面、                  ５、５Ａ：凹部、
６：支持具、                  ７、７Ａ：目地プレート、
８：ローラー収納部、          ９：支持体、
１０、１０Ａ：軸、            １１：ローラー、
１２：円弧、                  １３：支持バー、
１４：傾斜面、                １５：目地プレート本体、
１６：モルタルあるいはコンクリート、
１７：タイルやブロック、      ０：角部、
１８：支持プレート、          １９：ヒンジ部材、
２０：カバープレート、        ２１：傾斜面形成プレート、
２２：スノコ、                ２３：支持軸、
２４：ストッパー部、          ２５：ストッパー片、
２６：支持板、                ２７、２７Ａ：ローラー支持体、
２８：ローラー支持板。
【図１】
2006037340.tif 000003
【図２】
2006037340.tif 000004
【図３】
2006037340.tif 000005
【図４】
2006037340.tif 000006
【図５】
2006037340.tif 000007
【図６】
2006037340.tif 000008
【図７】
2006037340.tif 000009
【図８】
2006037340.tif 000010
【図９】
2006037340.tif 000011
【図１０】
2006037340.tif 000012
【図１１】
2006037340.tif 000013
【図１２】
2006037340.tif 000014
【図１３】
2006037340.tif 000015
【図１４】
2006037340.tif 000016
【図１５】
2006037340.tif 000017
【図１６】
2006037340.tif 000018
【図１７】
2006037340.tif 000019
【図１８】
2006037340.tif 000020
【図１９】
2006037340.tif 000021
【図２０】
2006037340.tif 000022
【図２１】
2006037340.tif 000023
【図２２】
2006037340.tif 000024
【図２３】
2006037340.tif 000025
【図２４】
2006037340.tif 000026
【図２５】
2006037340.tif 000027
【図２６】
2006037340.tif 000028
【図２７】
2006037340.tif 000029
【図２８】
2006037340.tif 000030
【図２９】
2006037340.tif 000031